(57)【要約】【課題】  ラチェットレンチに装着して各種ボルトの頭部等の早廻し締付けや取り外しを行うコンパクトで短長の超短ボックスビットを提供する。【解決手段】  ラチェットレンチの先端の筒体内に装着される超短ボックスビット１００は六角状軸部１と拡径の筒部２とからなり、筒部２にはボルトの頭等の六角部に挿着される六角状孔４が形成される。ラチェットレンチ４に超短ボックスビット１００を装着することにより任意のサイズのボルト等の締付け取り外しができる。また、超短のため軽量で取扱性がよい。【選択図】  図１
0003133375.tif 000002
【実用新案登録請求の範囲】
【請求項１】
長柄の先端側に角孔を形成する筒体とこの筒体を早廻しするラチェット部を有するラチェットレンチの前記筒体に挿脱可能に装着されるボックスビットであって該ボックスビットは、全体が超短長のものからなり、前記筒体の前記角孔に挿入される角状軸体と角状の頭部を有する対象ワークに挿着される角状孔を形成する筒部とを一体的に形成することを特徴とする超短ボックスビット。
【請求項２】
磁性体からなる前記角状軸体の挿入される前記筒体の前記角孔内には磁石が装着されることを特徴とする請求項１に記載の超短ボックスビット。
【考案の詳細な説明】
【技術分野】
【０００１】
本考案は、ラチェットレンチに挿着され、角状のワークの頭部に係合して該ワークの締付を行うボックスビットに係り、特に、超短に形成される超短ボックスビットに関する。
【背景技術】
【０００２】
インパクトレンチとしては従来より各種形式のものが採用されている。例えば、「特許文献１」に示すものがある。
【特許文献１】特開２００６−８２１９５号（図２）
【考案の開示】
【考案が解決しようとする課題】
【０００３】
「特許文献１」の「特開２００６−８２１９５号」の「手持ち工具のプロテクタ構造」は、その図２に示すように出力軸（１４）が本体側に嵌着されて先端プロテクタ（４０）により本体側に固定されたものである。
また、インパクトレンチの出力軸には、例えば、「特開平９−１３６２６７号」の「ソケット」に開示されているようなソケット（２０）が装着されているものもあるが、本考案における図６に示すようなインパクト用ソケット１２が挿着されるものも多い。即ち、このインパクト用ソケット１２としては先端側に出力軸１３を形成し後端側に拡径のソケット部１４を形成するものがある。このインパクト用ソケット１２はインパクトレンチ１５の本体内に挿着される場合もあり、外部にシール部材１６を装着しているものもあるが、図７に示すようにインパクトレンチ１５の出力軸１７に装着固定されるものがある。これにより、先端の出力軸１３のサイズを色々と変化させることができる。
【０００４】
以上の形状のインパクト用ソケット１２は後に説明する本考案の超短ボックスビットと外見状似ているものであるが、このインパクト用ソケット１２はあくまでインパクトレンチ１５に装着されるものであり、出力軸１３を先端側に配置するものであり、本考案とは使用目的及び装着される対象が全く相異するものである。
【０００５】
本考案は、以上の事情に鑑みて考案されたものであり、図４に示すように手廻し用の長柄の把持部７を融資、早廻し用のラチェット部９を有するラチェットレンチ６の先端に装着されて角状の頭部を有する対象ワーク（例えば、図４に示すボルト１８）の締付け取り外しを行うためのものであり、特に、超短長に形成されて取扱い性や持ち運び性の向上や軽量化を図る超短ボックスビットを提供することを目的とする。
【課題を解決するための手段】
【０００６】
本考案は、以上の目的を達成するために、請求項１の考案は、長柄の先端側に角孔を形成する筒体とこの筒体を早廻しするラチェット部を有するラチェットレンチの前記筒体に挿脱可能に装着されるボックスビットであって該ボックスビットは、全体が超短長のものからなり、前記筒体の前記角孔に挿入される角状軸体と角状の頭部を有する対象ワークに挿着される角状孔を形成する筒部とを一体的に形成することを特徴とする。
【０００７】
また、請求項２の考案は、磁性体からなる前記角状軸体の挿入される前記筒体の前記角孔内には磁石が装着されることを特徴とする。
【考案の効果】
【０００８】
本考案の請求項１の超短ボックスビットによれば、この超短ボックスビットは全長が極めて軽量のものからなり、ラチェットレンチの先端の筒体内に角状軸部を挿着することにより簡単にラチェットレンチ側に装着されて使用状態としてセットされる。これにより、任意角状の頭部を有する対象ワークの締付けや取り外しを簡単に行うことができる。
【０００９】
また、本考案の請求項２の超短ボックスビットによれば、ラチェットレンチの筒体内に磁石を装着することにより角状軸体が筒体内に強固に固定され、その脱落の完全防止が可能になる。勿論、この磁石の磁力はラチェットドライバ側からの超短ボックスビットの取り出しが手力により可能のものからなることは勿論である。
【考案を実施するための最良の形態】
【００１０】
以下、本考案の超短ボックスビット１００の実施の形態を図面を参照して詳述する。なお、この実施の形態ではラチェット部９を有するラチェットレンチ６の筒体８の角孔は六角孔１１からなり、超短ボックスビット１００の角状軸体は六角状軸体からなり、その筒部の角状孔は六角状孔からなるが、勿論この形態に限定するものではない。
【００１１】
図１乃至図３は本考案の超短ボックスビット１００の構造を示すものである。超短ボックスビット１００は図１に示すように六角状軸体１とこの後端側に一体的に連設される拡径状の筒部２とからなり、全長が極めて短長のものからなる。なお、図１に示すように六角状軸体１と筒部２との間には中段部３が形成され、六角状軸体１の挿着位置を制限する（一定化する）役目を果している。また、筒部２内には対象ワークの頭部の六角部に挿入される六角状孔４が凹設されている。
【００１２】
ラチェットレンチ６は、長柄の把握部７と、その先端に配設される筒体８と、筒体８に固定される早廻し用のラチェット部９と、ラチェット部９の解放又は固定を行うための爪部１０等とからなり、図５に示すように筒体８内には超短ボックスビット１００の六角状軸体１が挿着される六角孔１１が形成されている。なお、図５の筒体８には磁石５が嵌着されている。
【００１３】
次に、本考案の超短ボックスビット１００の使用方法を主として図４及び図５により説明する。
図４に示すように、ラチェットレンチ６の筒体８の六角孔１１内に超短ボックスビット１００の六角状軸体１を挿入する。六角状軸体１は通常磁性体からなるため、図５に示すように六角状軸体１の挿入端が磁石５に磁着して固定される。なお、六角状軸体１の挿入位置は中段部３が筒体８の端面に当接した位置となる。以上により、ラチェットレンチ６の通常使用により超短ボックスビット１００の筒部２の六角状孔４によりボルト１７の締付け取り外しを早廻して行うことができる。
【００１４】
本考案の超短ボックスビット１００の六角状軸体１はラチェットレンチ６側に挿脱可能の一定の形状からなるが、筒部２の形状及びその六角状孔４は対象ワークに対応して任意のものを選択することができる。各種サイズの対象ワークに対応することができる。
【００１５】
以上の説明において、超短ボックスビット１００の形状を特定して説明したが、これに限定するものでなく、同一技術的範疇のものが適用されることは勿論である。
【産業上の利用可能性】
【００１６】
本考案の超短ボックスビットは対象ワークとしてボルトとしたが、勿論それに限定するものではなく、角状の頭部を有するすべての対象ワークに適用され、その利用範囲は広い。
【図面の簡単な説明】
【００１７】
【図１】本考案の超短ボックスビットの全体構造を示す平面図。
【図２】図１のＡ−Ａ線断面図。
【図３】図１のＢ−Ｂ線断面図。
【図４】ラチェットレンチに本考案の超短ボックスビットを装着した状態を示す平面図。
【図５】磁石を有するラチェットレンチを示す部分断面図。
【図６】インパクトレンチに装着されるインパクトソケットを示す平面図。
【図７】インパクトソケットをインパクトレンチに装着した状態を示す部分断面図。
【符号の説明】
【００１８】
１      六角状軸体
２      筒部
３      中段部
４      六角状孔
５      磁石
６      ラチェットレンチ
７      把握部
８      筒体
９      ラチェット部
１０    爪部
１１    六角孔
１２    インパクトソケット
１３    出力軸
１４    ソケット部
１５    インパクトレンチ
１６    シール部材
１７    出力軸
１８    ボルト
１００  超短ボックスビット
【図１】
0003133375.tif 000003
【図２】
0003133375.tif 000004
【図３】
0003133375.tif 000005
【図４】
0003133375.tif 000006
【図５】
0003133375.tif 000007
【図６】
0003133375.tif 000008
【図７】
0003133375.tif 000009